(57)【特許請求の範囲】
【請求項１】
電子部品が搭載された筐体と、
前記筺体に対して着脱自在に構成されたカバーと、
前記カバーの前記筐体と対向する側に設けられた閉ループを成す導電性防水パッキン部材と、
前記筐体に設けられ、前記導電性防水パッキン部材が係合することにより前記電子部品が水と接触するのを防止する係合部と、
前記導電性防水パッキン部材と前記係合部が係合した際に、前記導電性防水パッキン部材との電気的接続が実現する前記筐体に設けられた電極と、
前記電極と前記導電性防水パッキン部材との電気的接続の有無を検知する検出手段と、
前記検出手段により、少なくとも防水機能を発揮できないと検知された場合にユーザーに報知する報知手段と
を備え、
前記導電性防水パッキン部材は、導電性ゴムであり、
前記係合部は、環状のスリットであり、
前記電極は、前記スリットの底部に設けられた窪み部に、当該底部よりも深部にその表面が配設されるように埋設されている防水型電子機器。
【請求項２】
前記検出手段による検知結果は、記憶手段により保存されることを特徴とする請求項１に記載の防水型電子機器。
【請求項３】
請求項１又は２に記載の防水型電子機器は、情報携帯端末であることを特徴とする防水型電子機器。
【請求項４】
前記電極が複数設けられ、
前記検出手段は、複数設けられたすべての前記電極と前記導電性防水パッキン部材との電気的接続の有無を検知することを特徴とする請求項１〜３のいずれか１項に記載の防水型電子機器。
【請求項５】
筐体に着脱自在なカバーに設けられた閉ループを成す導電性ゴムからなる導電性防水パッキン部材が、前記筐体内の係合部に防水機能を発揮するように係合されているか否かを、前記導電性防水パッキン部材と前記係合部が係合した際に、前記導電性防水パッキン部材との電気的接続が実現する前記筐体に設けられた電極を用いて判定し、
前記判定結果が、少なくとも前記導電性防水パッキン部材が係合されていないと判定された場合には、ユーザーに報知する機能を備え、
前記係合部は、環状のスリットであり、
前記電極は、前記スリットの底部に設けられた窪み部に、当該底部よりも深部にその表面が配設されるように埋設されている防水機能の検出報知方法。
【請求項６】
前記判定結果は、記憶手段により保存することを特徴とする請求項５に記載の防水機能の検出報知方法。
【発明の詳細な説明】
【技術分野】
【０００１】
本発明は、防水機能が要求される携帯電話機，ＰＨＳ（Personal Handyphon System），その他の情報携帯端末等を含む防水型電子機器に関する。また、防水機能の検出報知方法に関する。
【背景技術】
【０００２】
防水型携帯電話機が防水機能を発揮するためには、各カバー類を正しく装着する必要がある。万一、カバーが緩んでいたり、外れたりしている場合には、防水機能が発揮できず、データ破損・本体破損などの故障の原因となる。これらの理由による故障は、ユーザ責によるため、多大な修理費用がユーザに発生してしまう。そこで、カバー類が正しく装着されていないことをユーザに知らせる方法が特許文献１に提案されている。
【０００３】
図１０に、特許文献１に開示されたＶＴＲ一体型カメラ１００の外観斜視図を示す。防水型の外装ケース１０２に設けられた蓋１０３、１０４、１０５は、それぞれ閉塞位置に保持するためのロックメカニズムを有し、閉塞状態では外装ケース１０２の内部に対して気密（水密）構造を取るように構成されている。ＶＴＲ一体型カメラ１００には、蓋１０３、１０４、１０５が完全に閉じられた状態にあるか否かを検出する検出スイッチ（不図示）が設けられている。検出スイッチは、蓋１０３、１０４、１０５側に設けられた弾性のある導電性接触片（不図示）と、導電性接触片に対応してケース側に設けられた端子部を備える。
【０００４】
蓋１０３、１０４、１０５が完全に閉じられた状態では、蓋側の弾性の導電性接触片がケース側の端子部と接触して導通する。導通の有無を判定することにより各蓋１０３，１０４、１０５それぞれが完全に閉じられているか否かを判別する。そして、防水態勢が不完全な場合には、主要部の電源が入らないようにしたり、主操作ができないようにしたりして使用前にユーザに認知させる。
【０００５】
図１１に、特許文献１に開示された別のＶＴＲ一体型カメラの蓋部近傍の要部断面図を示す。図１１は、蓋が完全に閉じ切っていないアンロックの状態を示したものである。
【０００６】
図１１において、１３４は回動支軸（ヒンジ）で、蓋（カバー）１３３はこの回動支軸１３４を回転中心として外装ケース１３２に回動可能に保持されている。１３５は蓋１３３にスライド可能に保持されたロックレバーで、バネ１３６によって図示右行方向への偏倚力を付与されている。ロックレバー１３５の一方端にはロック用係合部１３５ａが形成されており、ロック状態においては、ロック用係合部１３５ａが外装ケース１３２に形成された係止用凹部１３７と係合している。１３８は蓋１３３の背面側に取り付けられた閉ループを成す防水パッキング部材で、防水性と弾性がある材料で形成されている。１３９はスイッチ等の電子部品１４０を搭載した回路基板で、外装ケース１３２の内部に位置しており、蓋１３３を開放した際には、外装ケース１３２の外部へ頭部を露呈させた電子部品１４０が操作可能なように構成されている。また、１３２ａ，１３３ａは外装ケース１３２と蓋１３３の外側の表面にそれぞれ施された外装色、１３３ｂは蓋１３３の自由端側の端面及び両側の側端面に施された外装色であり、外装色１３２ａ，１３３ａは略同色に、また、外装色１３３ｂは、外装色１３２ａ，１３３ａに対して対照的な色に設定されている。
【０００７】
ロック状態においては、防水パッキング部材１３８は押圧力によって弾性変形して、蓋１３３と外装ケース１３２に密着して水密性を発揮し、耐水性の低い回路基板１３９，電子部品１４０等へ水が浸入することを防止している。この際には、蓋１３３の端面の外装色１３３ｂは隠れ、外観上見えないようになっている。
【０００８】
これに対し、図１１に示したように、蓋１３３が完全に閉まりきっていない場合には、防水パッキング部材１３８は外装ケースに密着せず、水密性が損なわれている。この際には、蓋１３３の端面の外装色１３３ｂは外観上に現れる。外装色１３３ｂは、他の外装色１３２ａ，１３３ａに対して目立つ色とされているので、蓋１３３がアンロック状態であることをユーザが容易に認知することができる。
【０００９】
特許文献２には、電池蓋の開閉を検出可能な構造が提案されている。具体的には、電池カバーを開く方向に付勢する跳上げ機構、跳上げ機構と連動するスイッチＳＷにより、電池カバーの開閉を検出する構成が提案されている。
【先行技術文献】
【特許文献】
【００１０】
【特許文献１】特開平８−１５３９７７号公報
【特許文献２】特開２００７−１０９５３５号公報
【発明の概要】
【発明が解決しようとする課題】
【００１１】
上記図１１の例においては、蓋が大きく開いていた場合には有効な方法である。しかしながら、図１１の例においては、見た目には殆ど閉じられているものの、防水機能を発揮するには不十分な僅かな蓋の開きがあった場合には、見落とされやすいという問題点があった。
【００１２】
上記図１０や特許文献２の例においては、見た目には殆ど閉じられているものの、防水機能を発揮するには不十分な僅かな蓋の開きがあった場合にも有効な方法である。しかしながら、図１０や特許文献２の例においては、検出スイッチを配設する領域を確保する必要があった。
【００１３】
昨今においては、各種電子機器における軽薄短小化の要求は極めて強い。とりわけ、携帯電話機等の情報携帯端末においては、多機能化と小型化の両者を同時に実現する技術が強く求められている。小型化と防水機能が要求される各種電子機器全般においても同様の課題が生じ得る。
【００１４】
本発明は、上記背景に鑑みてなされたものであり、その目的とするところは、防水機能が発揮できない状況の場合にユーザに報知することが可能であって、かつ、小型化を実現可能な防水型電子機器、及び防水機能の検出報知方法を提供することにある。
【課題を解決するための手段】
【００１５】
本発明に係る防水型電子機器は、電子部品が搭載された筺体と、前記筐体に対して着脱自在に構成されたカバーと、前記カバーの前記筐体と対向する側に設けられた閉ループを成す導電性防水パッキン部材と、前記筐体に設けられ、前記導電性防水パッキン部材が係合することにより前記電子部品が水と接触するのを防止する係合部と、前記導電性防水パッキン部材と前記係合部が係合した際に、前記導電性防水パッキン部材との電気的接続が実現する前記筐体に設けられた電極と、前記電極と前記導電性防水パッキン部材との電気的接続の有無を検知する検出手段と、前記検出手段により、少なくとも防水機能を発揮できないと検知された場合にユーザに報知する報知手段とを備えるものである。
【００１６】
本発明に係る防水機能の検出報知方法は、筐体に着脱自在なカバーに設けられた閉ループを成す導電性防水パッキン部材が、筐体内の係合部に防水機能を発揮するように係合されているか否かを判定し、前記判定結果が、少なくとも前記導電性防水パッキン部材が係合されていないと判定された場合には、ユーザに報知するものである。
【発明の効果】
【００１７】
本発明によれば、防水機能が発揮できない状況の場合に、ユーザに報知することが可能であって、かつ、小型化を実現可能な防水型電子機器、及び防水機能の検出報知方法を提供することができるという優れた効果を有する。
【図面の簡単な説明】
【００１８】
【図１】本実施形態１に係る折り畳み式携帯電話機の正面外観図。
【図２】本実施形態１に係る折り畳み式携帯電話機の入力部側筺体の背面側の平面図。
【図３Ａ】本実施形態１に係る折り畳み式携帯電話機の入力部側筺体の電池カバーを取り外した際の背面側の平面図。
【図３Ｂ】本実施形態１に係る電池カバーの入力部側筺体と対向する側の平面図。
【図４Ａ】図３ＡのＩＶＡ−ＩＶＡ切断部の一部拡大端面図。
【図４Ｂ】図３ＡのＩＶＢ−ＩＶＢ切断部の一部拡大端面図。
【図４Ｃ】図３ＡのＩＶＣ−ＩＶＣ切断部の一部拡大端面図。
【図４Ｄ】図３ＢのＩＶＤ−ＩＶＤ切断部端面図。
【図５】本実施形態１に係る折り畳み式携帯電話機の内部構成を説明するためのブロック図。
【図６】本実施形態１に係る検出回路の回路構成を説明するための説明図。
【図７Ａ】本実施形態１に係る防水機能の検出報知方法を説明するためのフローチャート図。
【図７Ｂ】本実施形態１に係る防水機能の検出報知方法を説明するためのフローチャート図。
【図８Ａ】本実施形態２に係る折り畳み式携帯電話機の入力部側筺体の電池カバーを取り外した際の背面側の平面図。
【図８Ｂ】本実施形態２に係る電池カバーの入力部側筺体と対向する側の平面図。
【図９Ａ】図８ＡのＩＸＡ−ＩＸＡ切断部の一部拡大端面図。
【図９Ｂ】図８ＡのＩＸＢ−ＩＸＢ切断部の一部拡大端面図。
【図９Ｃ】図８ＡのＩＸＣ−ＩＸＣ切断部の一部拡大端面図。
【図９Ｄ】図８ＢのＩＸＤ−ＩＸＤ切断部端面図。
【図１０】特許文献１に開示された防水機能付きＶＴＲ一体型カメラの外観を示す斜視図。
【図１１】特許文献１に開示された防水機能付きＶＴＲ一体型カメラの蓋部近傍要部拡大断面図（アンロック時）。
【発明を実施するための形態】
【００１９】
以下、本発明を適用した実施形態の一例について説明する。なお、以降の図における各部材のサイズや比率は、説明の便宜上のものであり、実際のものとは必ずしも一致しない。
【００２０】
［実施形態１］
図１は、本実施形態１に係る防水型電子機器たるカメラ機能付の折り畳み式携帯電話機１の正面外観図である。図１は、表示部側筐体２の面と入力部側筐体３の面を開いた状態のディスプレイ側の外観図である。図１に示すように、折り畳み式携帯電話機１は、表示部側筐体２、入力部側筐体３、ヒンジ４、表示部５，キー操作部６、電池カバー７、受話スピーカ８、音声等を集音するためのマイク９等を備えている。
【００２１】
表示部側筐体２と入力部側筐体３とは、ヒンジ４により回動可能に連結された構造となっており，ヒンジ４を回動させることにより，表示部側筐体２が入力部側筐体３に対して開閉されるようになっている。
【００２２】
表示部側筐体２には，表示部５，受話スピーカ８等が備えられている。表示部５は，画像，電話番号等のデータ，各種メニュー，操作説明等の情報を表示する役割を担い，例えば，ＬＣＤ（Liquid Crystal Display）等により構成される。受話スピーカ８は，受話音声を鳴動する役割を担う。
【００２３】
入力部側筐体３の正面側には，文字や数字，記号を入力するボタン，電源のＯＮ／ＯＦＦボタン等のキー操作部６、マイク９等が備えられている。入力部側筺体３の内部には、回路基板やバッテリーが搭載されている。
【００２４】
図２に、本実施形態１に係る折り畳み式携帯電話機１の入力部側筺体３の背面側の平面図を示す。同図に示すように、入力部側筺体３の背面側には、電池カバー７、ＬＥＤ１０、着信メロディー等を鳴動するスピーカ１１、カメラ部１２等を備えている。カメラ部１２は，撮像素子（ＣＣＤ等）と作動時に入力される光学系の画像信号を画像データとしてデジタル信号に変換する回路を備えている。
【００２５】
電池カバー７は、バッテリーを交換する際に、バッテリーを取り出し可能とするための蓋として機能するカバーであり、入力部側筺体３の背面側において着脱自在に取り付けられている。完全に電池カバーが閉じられている状態では、入力部側筺体３の内部に対して、気密（水密）構造をとるように構成されている。
【００２６】
図３Ａに、本実施形態１に係る入力部側筺体３の電池カバー７を取り外した際の背面側の正面図を、図３Ｂに、電池カバー７のうち、入力部側筐体３と対向する側の正面図を示す。また、図４Ａに図３ＡのＩＶＡ−ＩＶＡ切断部の一部拡大端面図を、図４Ｂに図３ＡのＩＶＢ−ＩＶＢ切断部の一部拡大端面図を、図４Ｃに図３ＡのＩＶＣ−ＩＶＣの切断部の一部拡大端面図を示す。また、図４Ｄに図３ＢのＩＶＤ−ＩＶＤ切断部端面図を示す。
【００２７】
バッテリー１３は、図３Ａ，図４Ｂ及び図４Ｃに示すように、入力部側筐体３の背面側に設けられた筺体２３により構成された凹部２２に収容されている。入力部側筐体３の背面側には、電池カバー７の導電性ゴム２５を係合させるための係合部として機能するスリット２１が設けられている。
【００２８】
スリット２１は、バッテリー１３を収容する凹部２２を取り囲むように枠体状に設けられている。本実施形態１においては、矩形状の４辺からなるスリット２１の各辺の略中央部に４つの窪み部２６が設けられている（図３Ａ参照）。そして、これらの窪み部２６に、第１電極３１、第２電極３２、第３電極３３、第４電極３４が埋設されている。第１電極３１、第２電極３２、第３電極３３、第４電極３４の表面は、スリット２１の底面よりも低い位置となるように配置されている（図４Ａ参照）。第１電極３１〜第４電極３４の表面の高さについては、後述する。
【００２９】
電池カバー７は、図３Ｂ、図４Ｄに示すように、板状部材２４、閉ループを成す導電性防水パッキン部材として機能する導電性ゴム２５を備える。導電性ゴム２５は、板状部材２４のうちの入力部側筐体３と対向する側の主面上に、板状部材２４の周部近傍に沿うように配設されている。換言すると、スリット２１と係合する位置に導電性ゴム２５が配置されている。なお、電池カバー７の入力部側筺体３への閉塞状態を保持するためのロック機構、電池カバー７の着脱を容易化するための着脱機構などは、公知の技術を適宜用いてもよい。
【００３０】
導電性ゴム２５は、押圧力によって弾性変形して、スリット２１に密着して水密性を発揮し、耐水性の低いバッテリー１３、内部回路等の電子部品に水が浸入することを防止している。なお、閉ループを成す導電性防水パッキン部材として、本実施形態１においては、導電性ゴムを用いる例を説明するが、本発明の趣旨を逸脱しない範囲において他の部材を用いてもよい。また、閉ループを成す防水パッキン部材の少なくとも電極と電気的接続をとる面（本実施形態１においては、スリット２１の底面部と当接する面）において、閉ループを成す導電材をコーティングしたもの、閉ループを成す導電材を接合したもの等を用いてもよい。すなわち、導電性は、少なくとも電極と当接する面において閉ループを成すように付与されていれば良く、他の部分は、必ずしも導電性が付与されていなくてもよい。但し、防水性、製造工程の短縮等の観点からは、一種類の材料により導電性防水パッキン部材を構成することが好ましい。
【００３１】
第１電極３１、第２電極３２、第３電極３３、第４電極３４の表面の位置は、電池カバー７の導電性ゴム２５がスリット２１に確実に係合した場合に、導電性ゴム２５と接触する位置とする。すなわち、導電性ゴム２５がスリット２１に確実に係合して圧縮された場合のみ、第１電極３１、第２電極３２、第３電極３３、第４電極３４と導電性ゴム２５が電気的に接続されるように第１電極３１〜第４電極３４を配置する。
【００３２】
なお、本実施形態１においては、電極として第１電極３１〜第４電極３４の４つを設ける例を述べたが、カバーの大きさ等に応じて電極の配設個数は任意である。また、各電極の配置位置や形状も任意である。各電極を配設する窪み部の形状、配置位置についても同様である。また、導電性ゴム２５及びスリット２１の形状も任意である。
【００３３】
図５に、本実施形態１に係る折り畳み式携帯電話機の内部ブロック図を示す。折り畳み式携帯電話機１は、各動作を制御する制御部４０、上述した電池カバー７が防水機能を発揮するために十分な状態で入力部側筐体３に装着されているか否かを検知する検出回路４１、検出結果等を記憶するメモリ４２等が内蔵されている。同図に示すように、第１電極３１、第２電極３２、第３電極３３、第４電極３４は、検出回路４１に接続されている。また、制御部４０は，表示部５５、キー操作部６、ＬＥＤ１０、バッテリー１３、メモリ４２に接続されている。
【００３４】
図６は、本実施形態１に係る検出回路４１の回路構成を示した説明図である。説明の便宜上、検出回路４１に接続される制御部４０、報知手段４５、第１電極３１〜第４電極３４、導電性ゴム２５も図示する。
【００３５】
検出回路４１は、第１ゲート５１、第２ゲート５２、第３ゲート５３を備える。また、検出回路４１は、第１ゲート５１に接続される第１電源５４、第２ゲート５２に接続される第２電源５５、第３ゲート５３に接続される第３電源５６を備える。
【００３６】
第１ゲート５１の第１の入力部６１は、第１電極３１に接続され、第１ゲート５１の第２の入力部６２は、第２電極３２に接続される。また、Ｐｕｌｌ−ＵＰ抵抗８０が、第１の入力部６１と第１電極３１間のノードｂ、及び第１電源５４と第１ゲート５１間のノードａ間に配設されている。第１Ｐｕｌｌ−ＤＯＷＮ抵抗８１の一端は、第２の入力部６２と第２電極３２の間に設けられたノードｃに接続され、他端部は、接地されている。第１ゲート５１の出力部７１は、第３ゲート５３の第１の入力部６５に入力される。
【００３７】
第２ゲート５２の第１の入力部６３は、第３電極３３に接続され、第２ゲート５２の第２の入力部６４は、第４電極３４に接続される。第２Ｐｕｌl−ＤＯＷＮ抵抗８２の一端は、第２ゲート５２の第１の入力部６３と第３電極３３の間に設けられたノードｄに接続され、他端部は、接地されている。同様にして、第３Ｐｕｌl−ＤＯＷＮ抵抗８３の一端は、第２ゲート５２の第２の入力部６４と第４電極３４の間に設けられたノードｅに接続され、他端部は接地されている。第２ゲート５２の出力部７２は、第３ゲート５３の第２の入力部６６に入力される。第３ゲート５３の出力部７３は、制御部４０に入力される。そして、制御部４０は、報知手段４５に検知結果を報知するように指示する。
【００３８】
導電性ゴム２５と第１電極３１及び第２電極３２が電気的に接続された場合には、第１ゲート５１の第１の入力部６１、第２の入力部６２にＨｉｇｈが入力されるようになっている。第１の入力部６１、第２の入力部６２にＨｉｇｈが入力された場合には、第１ゲート５１の出力部７１は、Ｈｉｇｈ出力となるようになっている。すなわち、第１電極３１及び第２電極３２と、導電性ゴム２５とが電気的に接続された場合には、第１ゲート５１の出力部７１は、Ｈｉｇｈ出力となるように設定されている。
【００３９】
第２ゲート５２においては、第１電極３１と導電性ゴム２５が接続された状態において、第３電極３３及び第４電極３４と、導電性ゴム２５とが電気的に接続された場合に、第１の入力部６３、第２の入力部６４にＨｉｇｈが入力されるようになっている。第１の入力部６３、第２の入力部６４にＨｉｇｈが入力された場合には、第２ゲート５２の出力部７２は、Ｈｉｇｈ出力となるように設定されている。
【００４０】
第１ゲート５１の出力部７１、第２ゲート５２の出力部７２からＨｉｇｈが出力された場合には、第３ゲート５３の出力部７３からＨｉｇｈが出力されるようになっている。すなわち、電池カバー７における防水機能が十分発揮できる状態になっている場合に，第３ゲート５３の出力部７３からＨｉｇｈが出力される。換言すると、導電性ゴム２５がスリット２１にしっかりと係合し、導電性ゴム２５が圧縮されて第１電極３１〜第４電極３４と電気的に接続した場合に、第３ゲート５３の出力部７３からＨｉｇｈが出力される。第３ゲート５３の出力部７３の出力は、制御部４０に入力される。
【００４１】
ここで、第１電極３１〜第４電極３４のいずれか１つでも導電性ゴム２５と接続されない箇所があった場合には、第３ゲート５３の出力部７３からＨｉｇｈが出力されない。第１電極３１と導電性ゴム２５が接続されていない場合、第１電極３１と導電性ゴム２５が接続されているが、他の第２電極３２、第３電極３３、第４電極３４のいずれかと導電性ゴム２５が接続されていない場合には、第３ゲート５３の出力部７３からＬｏｗが出力される。
【００４２】
制御部４０は、第３ゲート５３の出力部７３からの出力結果を受け、その結果を報知手段４５によりユーザに報知する。報知手段４５は、例えば、ユーザに視覚的に知らせる表示部５、ユーザに聴覚的に知らせるスピーカ１１などを利用することができる。また、主電源が入らないようにしたり、主操作ができないようにしたりする方法を採用したり、これらを組み合わせたりすることができる。また、制御部４０は、第３ゲート５３の出力部７３からの出力結果をメモリ４２に保存する。
【００４３】
図７Ａに、本実施形態１に係る折り畳み式携帯電話機において、電源が入っている場合の電池カバーのセット状態の防水機能の検出報知方法を説明するためのフローチャート図を示す。
【００４４】
まず、制御部４０の指令により、検出回路４１を用いて導電性ゴム２５と第１電極３１〜第４電極３４との接続状態の検出を開始する（Ｓｔｅｐ１１）。そして、導電性ゴム２５と第１電極３１〜第４電極３４との接続状態について判定する（Ｓｔｅｐ１２）。Ｓｔｅｐ１２において、検出回路４１から制御部４０への入力がＨｉｇｈであった場合には、電池カバー７が正しい位置にセットされており、防水機能として問題ないことを制御部４０を介して表示部５にアイコンなどで表示し、エンドユーザに報知する（Ｓｔｅｐ１３）。また、その報知情報は、メモリ４２の不揮発エリアに保存する（Ｓｔｅｐ１３）。
【００４５】
一方、Ｓｔｅｐ１２において、導電性ゴム２５と第１電極３１〜第４電極３４との接続状態について判定した結果、検出回路４１における制御部４０への入力がＬｏｗであった場合には、電池カバー７が正しくセットされておらず防水機能として問題があることを表示部５にアイコンなどで表示し、エンドユーザに報知する（Ｓｔｅｐ１４）。また、その報知情報はメモリ４２の不揮発エリアに保存する（Ｓｔｅｐ１４）。
【００４６】
図７Ｂに、本実施形態１に係る折り畳み式携帯電話機において、電源が入っていない場合の電池カバーのセット状態の防水機能の検出報知方法を説明するためのフローチャート図を示す。
【００４７】
まず、制御部４０の指令により、検出回路４１を用いて導電性ゴム２５と第１電極３１〜第４電極３４との接続状態の検出を開始する（Ｓｔｅｐ２１）。制御部４０、検出回路４１等の電源は、バッテリー１３から直接給電するようにする。まず、検出回路４１を用いて、導電性ゴム２５と第１電極３１〜第４電極３４との接続状態について判定し（Ｓｔｅｐ２２）、検出回路４１における制御部４０への入力がＨｉｇｈであった場合には、電池カバー７が正しい位置にセットされており、表示部５に防水機能として問題ないことをアイコンなどで表示し、エンドユーザに報知する（Ｓｔｅｐ２２）。また、その報知情報は、メモリ４２の不揮発エリアに保存する（Ｓｔｅｐ２３）。
【００４８】
一方、Ｓｔｅｐ２１において、検出回路４１における制御部４０への入力がＬｏｗであった場合には、電池カバー７が正しくセットされていないことを、表示部５に防水機能として問題があることをアイコンなどで表示し、エンドユーザに報知する（Ｓｔｅｐ２４）。また、その報知情報はメモリ４２の不揮発エリアに保存する（Ｓｔｅｐ２４）。なお、電流消費を最小に抑えるため、防水機能として問題ない場合には、ＬＥＤ１１を消灯状態とし、防水機能に問題がある場合にのみＬＥＤ１１を点灯するようにしてもよい。
【００４９】
本実施形態１によれば、防水型携帯電話機において、防水機能が発揮できない状況の場合に、ユーザに報知することが可能であるという優れた効果を有する。また、閉ループを成す防水パッキン部材に導電性を付与した部材を用いることにより、上記特許文献１のように、ユーザに報知するための検出スイッチを配設する領域や部材を別途確保する必要がない。このため、小型化を実現することができる。
【００５０】
また、カバーの検出結果をメモリに保存するようにすることにより、エンドユーザ責任による水の侵入であるか、製品不具合による水の侵入であるかを判別することが可能となる。これにより、故障後のカスタマーサービスへのフィードバックを行うことができる。
【００５１】
また、バッテリーにより直接給電するシステムを適用することにより、電源が入っていない場合にも、カバーの状態を検知することが可能となるとうい優れた効果を有する。さらに、導電性ゴム２５と、第１電極３１〜第４電極３４との接続状況を、それぞれ個別に判断するのではなく、全ての電極と導電性ゴムとが接続されているか否かを判定する構成としたので、検出回路の小型化を実現することができる。
【００５２】
なお、本実施形態１においては、カバーとして電池カバーの例を説明したが、カバー全般に対して本発明を適用することができる。また、検出回路４１の構成は、一例であって、本発明の趣旨を逸脱しない範囲において種々の変形が可能である。
【００５３】
また、本実施形態１においては、電池カバー７が完全に閉まっており、防水機能に問題がない場合においても、表示部５にその旨を表示する例を説明したが、少なくとも防水機能に問題がある場合にのみ、ユーザに報知するようにしてもよい。
【００５４】
また、上記実施形態１においては、記憶手段としてメモリ４２を設ける構成を説明したが、検知結果を保存する機能まで必要ないと判断した場合には、検知結果を保存する機能を設けなくてもよい。また、主電源を落としている場合に防水機能が不要等の場合には、上述した図７Ｂのフローチャートで示す報知機能を付与しなくてもよい。内部にバッテリー等の給電源を内蔵していない電子機器についても同様である。
【００５５】
［実施形態２］
次に、上記実施形態１とは異なる折り畳み式携帯電話機の例について説明する。なお、以降の説明において、上記実施形態１と同一の要素部材には同一の符号を付し、適宜その説明を省略する。
【００５６】
本実施形態２に係る折り畳み式携帯電話機１ａは、以下の点を除く基本的な構造は上記実施形態１と同様である。すなわち、上記実施形態１においては、導電性ゴム２５と係合させる箇所として、スリット２１を設けていたが、本実施形態２においては、導電性ゴム２５と係合させる係合部として筐体側−壁部２０を具備している点において相違する。また、本実施形態２においては、電池カバー７ａの構成として、板状部材２４の導電性ゴム２５が設けられている側の最外周に、カバー側−壁部３０を設けている点が相違する。カバー側−壁部３０と導電性ゴム２５は、当接するように配設されていてもよいし、離間していてもよい。
【００５７】
図８Ａに、本実施形態２に係る入力部側筺体３ａの電池カバー７ａを取り外した際の背面側の正面図を、図８Ｂに、電池カバー７ａのうち、入力部側筐体３ａと対向する側の正面図を示す。また、図９Ａに図８ＡのＩＸＡ−ＩＸＡ切断部の一部拡大端面図を、図９Ｂに図８ＡのＩＸＢ−ＩＸＢ切断部の一部拡大端面図を、図９Ｃに図８ＡのＩＸＣ−ＩＸＣの切断部の一部拡大端面図を示す。また、図９Ｄに図８ＢのＩＸＤ−ＩＸＤ切断部端面図を示す。
【００５８】
電池カバー７ａは、バッテリー１３を交換する際に、バッテリー１３を取り出し可能とするための蓋として機能するカバーであり、入力部側筺体３ａの背面側において着脱自在に取り付けられている。完全に電池カバーが閉じられている状態では、入力部側筺体３ａの内部に対して、気密（水密）構造をとるように構成されている。
【００５９】
バッテリー１３は、図８Ａ，図９Ｂ及び図９Ｃに示すように、入力部側筐体３ａの背面側に設けられた筺体２３により構成された凹部２２に収容されている。入力部側筐体３ａの背面側には、電池カバー７ａの導電性ゴム２５を係合させるための係合部として機能する筐体側−壁部２０が設けられている。
【００６０】
筐体側−壁部２０は、バッテリー１３を収容する凹部２２を形成する役割も担う。本実施形態２においては、筐体側−壁部２０より外側に設けられた枠状の各辺の略中央部に窪み部２６が設けられている。そして、これらの窪み部２６に、第１電極３１、第２電極３２、第３電極３３、第４電極３４が埋設されている。第１電極３１、第２電極３２、第３電極３３、第４電極３４の表面は、筐体側−壁部２０の外側に配置された筺体の底面よりも低い位置となるように配置されている。第１電極３１〜第４電極３４の表面の高さについては、上記実施形態１で述べたとおりである
【００６１】
電池カバー７ａは、図８Ｂ、図９Ｄに示すように、板状部材２４、閉ループを成す導電性防水パッキン部材として機能する導電性ゴム２５、カバー側−壁部３０を備える。導電性ゴム２５は、板状部材２４のうちの入力部側筐体３と対向する側の主面上に、板状部材２４の周部近傍に沿うように配設されている。そして、導電性ゴム２５の外側には、閉ループを成すカバー側−壁部３０が設けられている。換言すると、筐体側−壁部２０の外周部側と係合する位置に導電性ゴム２５が配置されている。
【００６２】
導電性ゴム２５は、押圧力によって弾性変形して、筐体側−壁部２０に密着して水密性を発揮し、耐水性の低いバッテリー１３、内部回路等に水が浸入することを防止している。
【００６３】
本実施形態２によれば、上記実施形態１と同様の効果を得ることができる。
【００６４】
なお、上記実施形態１及び２においては、電子機器の例として、携帯電話機を例にとり説明したが、防水機能が要求される電子機器全般に対して、本発明を適用することが可能である。また、本発明の趣旨に合致する限り、他の実施形態も本発明の範疇に属し得ることは言うまでもない。
【符号の説明】
【００６５】
１      折り畳み式携帯電話機
２      表示部側筐体
３      入力部側筐体
４      ヒンジ
５      表示部
６      キー操作部
７      電池カバー
８      受話スピーカ
９      マイク
１０    ＬＥＤ
１１    スピーカ
１２    カメラ部
１３    バッテリー
２０    筐体側−壁部
２１    スリット
２２    凹部
２３    筺体
２４    板状部材
２５    導電性ゴム
２６    窪み部
３０    カバー側−壁部
３１    第１電極
３２    第２電極
３３    第３電極
３４    第４電極
４０    制御部
４１    検出回路
４２    メモリ
５１    第１ゲート
５２    第２ゲート
５３    第３ゲート
５４    第１電源
５５    第２電源
５６    第３電源
７１、７２、７３    出力部
８０    Ｐｕｌｌ−ＵＰ抵抗
８１    第１Ｐｕｌｌ−ＤＯＷＮ抵抗
８２    第２Ｐｕｌｌ−ＤＯＷＮ抵抗
８３    第３Ｐｕｌｌ−ＤＯＷＮ抵抗
【図１】
0005609133.tif 000002
【図２】
0005609133.tif 000003
【図３Ａ】
0005609133.tif 000004
【図３Ｂ】
0005609133.tif 000005
【図４Ａ】
0005609133.tif 000006
【図４Ｂ】
0005609133.tif 000007
【図４Ｃ】
0005609133.tif 000008
【図４Ｄ】
0005609133.tif 000009
【図５】
0005609133.tif 000010
【図６】
0005609133.tif 000011
【図７Ａ】
0005609133.tif 000012
【図７Ｂ】
0005609133.tif 000013
【図８Ａ】
0005609133.tif 000014
【図８Ｂ】
0005609133.tif 000015
【図９Ａ】
0005609133.tif 000016
【図９Ｂ】
0005609133.tif 000017
【図９Ｃ】
0005609133.tif 000018
【図９Ｄ】
0005609133.tif 000019
【図１０】
0005609133.tif 000020
【図１１】
0005609133.tif 000021